(57)【特許請求の範囲】
【請求項１】
施療者が座る座部と、座部の後端部に背もたれ部を略上方に向けて設け、背もたれ部の内部に、背もたれ部の布地を介して施療者を施療する施療子とこれを支持する板金製の施療アームとを備えた施療子ユニットが収納されたマッサージ機であって、上記板金製の施療アームにおける背もたれ部の布地の裏面と接する外表面に、布地の裏面に対して滑動性を有するキャップ形状の滑り部材を外装すると共に、施療子の取付軸を滑り部材の内側面を貫通して施療アームに取り付けてなることを特徴とするマッサージ機。
【請求項２】
上記滑り部材の外側面及び内側面のエッジ部にそれぞれ滑らかなアールを面取り加工すると共に、外側面のアールを内側面のアールよりも大きくしたことを特徴とする請求項１記載のマッサージ機。
【発明の詳細な説明】
【技術分野】
【０００１】
本発明は、マッサージ機に関し、詳しくは背もたれ部の布地を介して施療者を施療する施療子を支持する板金製の施療アームと背もたれ部の布地の裏面との接触による擦り音の発生を防止しようとする技術に関するものである。
【背景技術】
【０００２】
従来から、施療子に揉み動作を与えることができるマッサージ機、殊に回転駆動される傾斜軸を利用して左右に施療子を揺らせることで揉みマッサージ効果を高めることができるマッサージ機が知られている（例えば、特許文献１参照）。
【０００３】
ところで、従来のマッサージ機では、背もたれ部の内部に、背もたれ部の布地を介して施療者を施療する施療子とこれを支持する板金製の施療アームとを備えた施療子ユニットが収納されており、背もたれ部の布地を介して施療子を施療者の背中を押圧して施療するものであるが、板金製の施療アームは金属がむき出しで布地の裏面と直接、擦れあう構造となっている。このため、布地の裏面と施療アームとの擦れ音が大きくなるという課題を有している。しかも施療アームを構成する板金はその厚みが薄いため、エッジ部が布地（例えば、ニット、ナイロン系）を破るおそれもある。なお、エッジ部にはアールをつけにくいという難点もあった。
【特許文献１】特開２００７−２９５５８号公報
【発明の開示】
【発明が解決しようとする課題】
【０００４】
本発明は上記の従来の問題点に鑑みて発明したものであって、布地と施療アームとが擦れる際に生じる不快な擦り音や布地の破れを簡易な構造の滑り部材にて防止できると共に、滑り部材の取り付けを簡易に行なえるようにしたマッサージ機を提供することを課題とするものである。
【課題を解決するための手段】
【０００５】
前記課題を解決するために本発明は、施療者が座る座部２と、座部２の後端部に背もたれ部３を略上方に向けて設け、背もたれ部３の内部に、背もたれ部３の布地３ａを介して施療者を施療する施療子８とこれを支持する板金製の施療アーム７とを備えた施療子ユニット６が収納されたマッサージ機であって、上記板金製の施療アーム７における背もたれ部３の布地３ａの裏面と接する外表面に、布地３ａの裏面に対して滑動性を有するキャップ形状の滑り部材３５を外装すると共に、施療子８の取付軸３６を滑り部材３５の内側面３５ａを貫通して施療アーム７に取り付けてなることを特徴としている。
【０００６】
このような構成とすることで、滑り部材３５を板金製の施療アーム７に外装したことによって、布地３ａと施療アーム７とが擦れる際に生じる不快な擦り音、及び布地３ａの破れをそれぞれ防止できると共に、施療子８の取付軸３６を滑り部材３５を介して施療アーム７に取り付けることにより、滑り部材３５を施療アーム７に対して別途取り付ける手間が省けるようになる。
【０００７】
また、上記滑り部材３５の外側面３５ｂ及び内側面３５ａのエッジ部にそれぞれ滑らかなアールＲを面取り加工すると共に、外側面３５ｂのアールＲ１を内側面３５ａのアールＲ２よりも大きくしたことを特徴とするのが好ましく、この場合、エッジ部の面取り加工によって布地３ａを保護できると共に、内側面３５ａのアールＲ２よりも、布地３ａの裏面に当たりやすい外側面３５ｂのアールＲ１を大きくとることで、擦り音の発生防止及び布地３ａの破れ防止にそれぞれ効果的となる。
【発明の効果】
【０００８】
本発明は、布地と施療アームとが擦れる際に生じる不快な擦り音を低減できると共に、施療子の取付軸を滑り部材を介して施療アームに取り付けることにより、滑り部材を施療アームに対して別途取り付ける手間が省け、簡易な構造で擦り音の発生や布地の破れをそれぞれ防止できる高品質のマッサージ機が容易に得られるようになる。
【発明を実施するための最良の形態】
【０００９】
以下、本発明を添付図面に示す実施形態に基いて説明する。
【００１０】
図５（ａ）は、本発明の一実施形態における椅子式のマッサージ機１を示し、同（ｂ）は機構ブロック４の斜視図を示している。
【００１１】
本例のマッサージ機１は、座部２の後端部に背もたれ部３を略上方に向けて設け、背もたれ部３の内部に機械的施療動作を行なう機構ブロック４を上下移動自在に配置して構成してあり、施療者は座部２に座ると共に背もたれ部３に背もたれした状態で、機構ブロック４に設けた左右一対の施療子ユニット６による叩き動作、揉み動作、背筋のばし動作等の機械的施療動作を行なうことが可能とされる。各施療子ユニット６は、側面視く字状に曲成された施療アーム７と、この施療アーム７の上下両先端にそれぞれ取り付けられた上下一対のローラー状の施療子８（８ａ，８ｂ）とを備えている。
【００１２】
上記機構ブロック４は、図５（ｂ）、図６に示すように、左右一対のギアプレート９,９（図２（ｂ）間に幅駆動軸１１、スライドガイド軸１２、叩き駆動軸１０を架設すると共に、左右一対の施療子ユニット６（図５（ｂ）では一方の施療子ユニット６のみを示している）を取り付けたもので、一方のギアプレート９上には、叩き駆動用モータ１３が取り付けられており、この叩き駆動用モータ１３の出力がベルト３０を介して叩き駆動軸１０にまで伝達される構造となっている。
【００１３】
なお、上記の幅駆動軸１１やスライドガイド軸１２、叩き駆動軸１０、及び強弱駆動軸は機構ブロック４内に回転駆動自在に配されるものであり、上記叩き駆動軸１０はその両端に偏心軸部を有するクランク軸として形成されたものである。
【００１４】
上記機構ブロック４を上下方向（図６のＸ方向）に走行駆動する上下駆動部１４は、駆動源である上下駆動モータ１４ａを正転或いは逆転駆動することで伝達機構（図示せず）を介して、両端部にピニオン及び走行ローラ２０の軸を正転或いは逆転駆動するものであり、マッサージ機１の背もたれ部３の内部に設けた上下方向ガイドレール４０（図２（ｂ））に沿って上記走行ローラ２０を上下移動自在に取り付けると共に、上下方向ガイドレール４０に形成したラック（図示せず）を上記ピニオンに噛み合わせてある。
【００１５】
また、幅駆動用モータ（図示せず）によって幅駆動軸１１を回転駆動させるとき、に左右一対の施療子ユニット６，６は幅方向（図６のＹ方向）において接近離反し、機構ブロック４内の左右の施療子８ａ，８ｂの間隔を変更する。いわゆる揉みマッサージを実現する。
【００１６】
一方、叩き駆動用モータ１３でクランク軸である叩き駆動軸１０を回転させると、施療アーム７が前後方向（図６のθ方向）に揺動し、施療アーム７の両先端部に取り付けられた施療子８ａ，８ｂが前後に細かく動く叩き動作を行なう。
【００１７】
なお、上記施療子８の上下動作、揉み動作、叩き動作に関する詳細は、例えば特開２００７−１４４２１号公報等に開示された従来周知の技術を用いることができるので、詳細な説明は省略する。
【００１８】
ここで、本発明においては、図１に示すように、板金製の施療アーム７における背もたれ部３の布地３ａの裏面と接する外表面に、布地３ａの裏面に対して滑動性を有するキャップ形状の滑り部材３５を外装すると共に、施療子８の取付軸３６を滑り部材３５の内側面３５ａを貫通して施療アーム７に取り付けてある。
【００１９】
上記板金製の施療アーム７は、図３に示すように、側面視く字状に曲成され、その両先端部には、それぞれ、滑り部材３５が外装されている。
【００２０】
滑り部材３５は、例えばＰＰ等の樹脂成形品からなり、施療アーム７の先端部より一回り大きな山形状に形成されていると共に、裾部側が開口したキャップ形状を成している。滑り部材３５の頂部側には、施療アーム７の軸孔と対向する貫通孔が設けられている。この貫通孔の大きさは、施療子８の取付軸３６が貫通可能な大きさを有している。なお施療子８の取付軸３６は施療アーム７に対してカシメによって取り付けられる。滑り部材３５の裾部側にはネジ孔が設けられ、滑り部材３５を施療アーム７の先端部に被せた状態で、滑り部材３５のネジ孔と施療アーム７のネジ孔とをネジ止めすることで、滑り部材３５をがたつきのない状態で施療アーム７に取り付け可能となる。
【００２１】
なお、背もたれ部３は、袋状をした布地３ａの内部に、薄い均一な厚さのクッション材を詰めた伸縮性のある柔らかな構造をしており、この布地３ａの裏面に対して、図２（ａ）、図４（ａ）に示すように、ローラー状の施療子８が押し当てられるようになっている。なお、布地３ａの材質は例えば、ニット、ナイロン、ジャージィー等でもよい。
【００２２】
しかして、上記滑り部材３５を板金製の施療アーム７に外装したことによって、布地３ａと施療アーム７とが擦れる際に生じる不快な擦り音を低減できるようになる。つまり布地３ａの裏面に対して滑動性のよい滑り部材３５を接触させることによって、擦り音の発生を防止できる。また、施療子８の取付軸３６を施療アーム７に対してカシメによって取り付ける場合、カシメ高さによって施療アーム７の外面側に余計な引掛りが生じやすくなるが、滑り部材３５を外装することによってカシメによる余計な引掛りが生じなくなり、結果、擦り音の発生防止に加えて、板金製の施療アーム７のエッジ部による布地３ａの破れ防止効果も高められる。この結果、マッサージ機１の商品価値を容易に高めることができる。
【００２３】
また、施療子８の取付軸３６を滑り部材３５の内側面３５ａを貫通して施療アーム７に取り付けたことによって、施療子８の取付軸３６を施療アーム７に取り付けるだけで、滑り部材３５が施療アーム７に取り付けられるので、滑り部材３５を施療アーム７に対して別途取り付ける必要がなく、作業の手間を削減できる。
【００２４】
また本例では、図３（ｂ）に示すように、滑り部材３５の外側面３５ｂ及び内側面３５ａの各エッジ部には、それぞれ滑らかなアールＲが面取り加工されている。ここでは、滑り部材３５の厚みの半分以上のアールＲで面取りを行なうと共に、図３（ｃ）に示すように、外側面３５ｂのアールＲ１を内側面３５ａのアールＲ２（＜Ｒ１）よりも大きくしている。しかして、エッジ部の面取り加工によって布地３ａを保護できると共に、内側面３５ａのアールＲ２よりも、布地３ａの裏面に当たりやすい外側面３５ｂのアールＲ１を大きくとることで、擦り音の発生防止及び布地３ａの破れ防止にそれぞれ効果的となる。
【図面の簡単な説明】
【００２５】
【図１】本発明の一実施形態の施療アームにより施療子を支持する構造を示す側面図である。
【図２】（ａ）は同上の施療子を備えるマッサージ機の左側面図であり、（ｂ）は（ａ）のＡ−Ａ線断面図である。
【図３】（ａ）は同上の施療子ユニットの斜視図、（ｂ）は分解斜視図、（ｃ）は（ｂ）のＥ−Ｅ線に沿う断面図である。
【図４】（ａ）は同上の施療子を備えるマッサージ機の右側面図であり、（ｂ）は背面図である。
【図５】（ａ）は同上のマッサージ機の斜視図であり、（ｂ）は同上の機構ブロックの斜視図である。
【図６】（ａ）は同上の機構ブロックの斜視図であり、（ｂ）は側面図である。
【符号の説明】
【００２６】
１  マッサージ機
２  座部
３  背もたれ部
３ａ  布地
４  機構ブロック
５  施療者
６  施療子ユニット
７  施療アーム
８  施療子
３５  滑り部材
３５ａ  内側面
３５ｂ  外側面
３６  取付軸
【図１】
0004710894.tif 000002
【図２】
0004710894.tif 000003
【図３】
0004710894.tif 000004
【図４】
0004710894.tif 000005
【図５】
0004710894.tif 000006
【図６】
0004710894.tif 000007